(57)【特許請求の範囲】
【請求項１】
現在の位置情報を認識する機能を備え、該認識した位置情報及びユーザの名前等の認証情報であるユーザプロファイルを含むユーザ情報をサーバに送信する機能を備えると共に該ユーザ情報を発信するエリアを特定するための送信範囲情報を前記サーバに送信する機能を有する発信端末機器と、
現在の位置情報を認識する機能を備え、該認識した位置情報をサーバに発信する機能を備えると共に、サーバとの通信により得られたユーザ情報を表示する機能を備えた受信端末機器と、
前記発信端末機器からの位置情報とユーザ情報及びエリアを特定するための送信範囲情報を受信して記憶し且つ管理する機能を備え、前記受信端末機器からの位置情報を自動受信する機能を備えると共に、該自動受信した位置情報が前記発信端末機器からの送信範囲情報で設定された範囲内であるときに、ユーザ情報を前記受信端末機器に送る機能を備えたサーバと、
からなり、
前記サーバには、
前記発信端末機器で設定したエリアを特定するための送信範囲情報で設定された範囲内での前記受信端末機器でのユーザ情報の受信が行われたときに、前記発信端末機器側に所定の課金を施す機能を備えたことを特徴とする位置情報を利用した情報配信装置。
【発明の詳細な説明】
【０００１】
【発明の属する技術分野】
本発明は、位置情報を利用した情報配信装置に関する。詳しくは、ＧＰＳ等からの位置情報を利用し、情報発信ユーザが所望の情報を所定の範囲に存在する複数の情報受信ユーザに送信することができる位置情報を利用した情報配信装置に関する。
【０００２】
【従来の技術】
従来技術として、ＧＰＳ（Ｇｌｏｂａｌ  Ｐｏｓｉｔｉｏｎｉｎｇ  Ｓｙｓｔｅｍ）と呼ばれる人工衛星を利用して自分が地球上のどの位置にいるのかを正確に割り出すシステムがある。現在、このシステムは、高度２万Kmの６つの円軌道に４つずつ配された米国防総省が管理するＧＰＳ衛星からの電波を利用し、緯度、経度、高度などを数十メートルの精度で割り出すことができる。
【０００３】
又、デジタル化された地図(地形)データと、統計データや位置の持つ属性情報などの位置に関連したデータとを統合的に扱うＧＩＳ（Ｇｅｏｇｒａｐｈｉｃａｌ  Ｉｎｆｏｒｍａｔｉｏｎ  Ｓｙｓｔｅｍ；地理情報システム）では、地図データと他のデータを相互に関連づけたデータベースと、これらの情報の検索や解析、表示などを行うソフトウェアにより、地図データ上に統計データや位置に関連したデータを表示して解析対象の分布や密度、配置等を視覚的に把握することができる。例えば、地図データに人口分布や商店の配置などを組み合わせて、商圏分析や新規顧客開拓等のエリアマーケティング、道路や建物に関するデータと前述のＧＰＳを組み合わせたカーナビゲーションシステム、不動産業界が物件管理や施工管理に活用したり、ＰＨＳ（Ｐｅｒｓｏｎａｌ  ＨａｎｄｙｐｈｏｎｅＳｙｓｔｅｍ）等の携帯端末と位置情報サービスとを組み合わせたシステムなど様々な分野に応用されている。
【０００４】
一方、衛星からの電波ではなく、携帯電話機から発信される電波（発信情報）から自動的に位置情報を得て、発信者の現在地を地図上に表示したり、各種情報サーバと端末の間で住所や最寄りの駅などの位置に関する情報を相互に交換したり、情報サーバ毎に異なる検索方法に自動的に対応する位置情報エージェント技術もある。例えば、この技術をＰＨＳに用いて道に迷った人等を探索したり、ＰＨＳ端末を持つユーザがいる場所周辺の地図やレストラン、銀行などの店舗情報をインターネットを通じて取り出し、ユーザがいる現地点から数１００ｍ四方の範囲で必要とする店舗の探索を行うことができるシステムに活用されている。
【０００５】
【発明が解決しようとする課題】
しかしながら、ＧＩＳ等のシステムでは衛星の電波やＰＨＳ等の携帯端末から発信される電波（発信情報）によって位置情報を割り出し、この位置情報を利用した情報の検索や解析、表示等を行うことはできるが、この位置情報を利用してユーザが自ら情報を発信することができないという課題がある。又、ＰＨＳ等の携帯端末では、特定の携帯端末に情報を送ることはできるが、ある一定の範囲に存在する複数の携帯端末に情報を送る（ブロードキャストする）ことができないという課題もある。
【０００６】
従って、衛星の電波やＰＨＳ等の携帯端末から発信される電波によって割り出される位置情報を利用して、特定の範囲に存在する複数の端末機器にユーザが所望の情報を発信（ブロードキャスト）できるようにすることに解決しなければならない課題を有する。
【０００７】
【課題を解決するための手段】
前記課題を解決するため、本発明に係る位置情報を利用した情報配信装置は次のような構成にすることである。
【０００８】
（１）  現在の位置情報を認識する機能を備え、該認識した位置情報及びユーザの名前等の認証情報であるユーザプロファイルを含むユーザ情報をサーバに送信する機能を備えると共に該ユーザ情報を発信するエリアを特定するための送信範囲情報を前記サーバに送信する機能を有する発信端末機器と、
現在の位置情報を認識する機能を備え、該認識した位置情報をサーバに発信する機能を備えると共に、サーバとの通信により得られたユーザ情報を表示する機能を備えた受信端末機器と、
前記発信端末機器からの位置情報とユーザ情報及びエリアを特定するための送信範囲情報を受信して記憶し且つ管理する機能を備え、前記受信端末機器からの位置情報を自動受信する機能を備えると共に、該自動受信した位置情報が前記発信端末機器からの送信範囲情報で設定された範囲内であるときに、ユーザ情報を前記受信端末機器に送る機能を備えたサーバと、
からなり、
前記サーバには、
前記発信端末機器で設定したエリアを特定するための送信範囲情報で設定された範囲内での前記受信端末機器でのユーザ情報の受信が行われたときに、前記発信端末機器側に所定の課金を施す機能を備えたことを特徴とする位置情報を利用した情報配信装置。
【０００９】
このような位置情報を利用した情報配信装置により、情報を発信したいユーザが、情報を発信する範囲を設定し、設定された範囲に存在する複数の端末機器に情報をブロードキャストすることが可能となる。又、情報を発信するユーザに対しては、情報を発信する範囲（ブロードキャストする範囲）に応じた課金が行われる。
【００１０】
【発明の実施の形態】
次に、本発明に係る位置情報を利用した情報配信装置の実施の形態を図面を参照して説明する。
【００１１】
まず、第１の実施の形態として図１に示す位置情報を利用した情報配信装置は、情報発信ユーザの所望するユーザ情報を指定する範囲に発信するサーバ１００と、現在の位置情報をサーバ１００に送ると共に所望のユーザ情報を入力し、このユーザ情報を発信する範囲である送信範囲情報を指定することができる発信端末機器２００と、現在の位置情報をサーバ１００に送り、サーバ１００からのユーザ情報を受信することができる受信端末機器３００とから構成される。
【００１２】
サーバ１００は、発信端末機器２００及び受信端末機器３００との通信を行い、位置情報やユーザ情報の送受信を行う位置情報ＩＦ１１１とユーザ情報受信ＩＦ１１２とユーザ情報発信ＩＦ１１３からなる通信ＩＦ１１０と、発信端末機器２００から受信したユーザ情報及び送信範囲情報や、発信端末機器２００及び受信端末機器３００からの位置情報やユーザプロファイルを記憶して管理するユーザ位置情報管理データベース１２０と、発信端末機器２００から送られてくるユーザ情報を一時記録し、コントローラ１６０の指示によりユーザ情報発信ＩＦ１１３へ送るユーザ情報バッファ１３０と、発信端末機器２００及び受信端末機器３００からのユーザプロファイルにより認証を行うユーザ認証部１４０と、ユーザプロファイルと発信端末機器２００の送信範囲情報により課金情報を生成するユーザ別課金部１５０と、位置情報やユーザプロファイルや送信範囲情報等に基づいてサーバ１００内の各部を制御するコントローラ１６０とから構成される。
【００１３】
発信端末機器２００は、ＧＰＳ等からの位置関連情報１０を受信する位置情報受信部２１１と、受信した位置関連情報１０から所在位置等を判断する位置情報認識部２１２と、位置情報認識部２１２で認識した所在位置及びユーザの名前等の認証情報であるユーザプロファイルをサーバ１００へ送信する為の処理を行う位置情報発信部２１３とからなる位置情報処理部２１０と、サーバ１００との通信を行い、位置情報処理部２１０やユーザ情報処理部２３０からの位置情報やユーザ情報をサーバ１００へ送る位置情報ＩＦ２２１及びユーザ情報発信ＩＦ２２２を備えた通信ＩＦ部２２０と、所望のユーザ情報やこのユーザ情報の送信範囲情報を入力する為のユーザ情報入力部２３１と、入力したユーザ情報及び送信範囲情報をサーバ１００へ送信する為の処理を行うユーザ情報発信部２３２からなるユーザ情報処理部２３０とから構成される。
【００１４】
受信端末機器３００は、ＧＰＳ等からの位置関連情報１０を受信する位置情報受信部３１１と、受信した位置関連情報１０から所在位置等を判断する位置情報認識部３１２と、位置情報認識部３１２で認識した所在位置とユーザの名前等の認証情報であるユーザプロファイルをサーバ１００へ送信する為の処理を行う位置情報発信部３１３とからなる位置情報処理部３１０と、サーバ１００との通信を行い、位置情報処理部３１０からの位置情報を送る位置情報ＩＦ３２１や受信したユーザ情報をユーザ情報処理部３３０へ送るユーザ情報受信ＩＦ３２２を備えた通信ＩＦ部３２０と、受信したユーザ情報を処理するユーザ情報受信部３３１と、ユーザ情報受信部３３１で処理されたユーザ情報を出力／表示するユーザ情報出力部３３２からなるユーザ情報処理部３３０とから構成される。
【００１５】
このような位置情報を利用した情報配信装置において、情報を送受信する時の動作について図２を参照しながら説明する。
【００１６】
まず、情報を発信したい情報発信ユーザ２０は、発信端末機器２００のユーザ情報処理部２３０のユーザ情報入力部２３１から送信したい情報であるユーザ情報と、このユーザ情報を発信したいエリアである送信範囲情報（例えば、図２におけるＡエリア５０）を入力する。入力されたユーザ情報及び送信範囲情報は、ユーザ情報発信部２３２で処理され、ユーザ情報発信ＩＦ２２２を介してサーバ１００に送信される。
【００１７】
一方、発信端末機器２００の位置情報処理部２１０では、位置情報受信部２１１で受信されたＧＰＳ等からの位置関連情報１０が位置情報認識部２１２に送られ、位置情報認識部２１２が受信した位置関連情報１０から現在発信端末機器２００が所在している位置情報を判断し、位置情報発信部２１３によって、位置情報とユーザの名前等の認証情報であるユーザプロファイルをサーバ１００に送信する為の処理を行う。そして、処理された位置情報及びユーザプロファイルは、位置情報ＩＦ２２１を介してサーバ１００へ送信される。尚、送信するユーザ情報は、テキスト（文字）、画像、音、プログラム等のバイナリデータやその他送信可能なデジタルデータであればこれらに限らないことは勿論である。又、指定する送信範囲は、図２の示すように情報を発信する情報発信ユーザ２０（発信端末機器２００）を中心にした範囲を指定することや、別の地域の所定の範囲を指定することも可能である。
【００１８】
サーバ１００は、発信端末機器２００から位置情報及びユーザプロファイルとユーザ情報及び送信範囲情報を受信する。位置情報及びユーザプロファイルは、位置情報ＩＦ１１１を介してコントローラ１６０へ送られ、ユーザ位置情報管理データベース１２０に記憶、管理される。ユーザ情報及び送信範囲情報は、ユーザ情報受信ＩＦ１１２を介してコントローラ１６０に送られ、ユーザ情報バッファ１３０に一時記憶される。
【００１９】
又、ユーザ認証部１４０は、発信端末機器２００からのユーザプロファイルに基づいてユーザの認証を行う。そして、認証が正常と判断されると、ユーザ情報バッファ１３０に一時記憶されたユーザ情報は、送信範囲情報に基づいた送信範囲であるＡエリア５０にいる情報受信ユーザ３０（複数でもよい）にブロードキャスト可能な状態となる。又、これに伴い、ユーザ別課金部１５０では、送信範囲情報とユーザプロファイルに基づいてユーザ別の課金情報を生成して後日情報発信ユーザ２０に請求する。例えば、図２に示すようなＡエリア５０、Ｂエリア５１・・・・というような送信範囲（距離）により料金が算出され、広範囲なエリアに情報を送信するほど高い料金が課金される（図２ではＢエリア５１がＡエリア５０よりも高料金）。
【００２０】
一方、サーバ１００のエリア内（Ａエリア５０、Ｂエリア５１）に存在する情報受信ユーザ３０、４０が所持する受信端末機器３００は、位置情報受信部３１１で受信したＧＰＳ等からの位置関連情報１０を位置情報認識部３１２に送り、位置情報認識部３１２がこの位置関連情報１０から受信端末機器３００が所在している位置情報を判断し、この位置情報をユーザプロファイルと共に位置情報発信部３１３で処理し、位置情報ＩＦ３２１を介してサーバ１００に自動的に送信している。サーバ１００は、この位置情報及びユーザプロファイルを受信すると、位置情報ＩＦ１１１を介してコントローラ１６０へ送り、ユーザ位置情報管理データベース１２０に記憶、管理することによりエリア内の受信端末機器３００の所在位置を常に把握することができる。
【００２１】
そして、サーバ１００は、図２に示すように、エリア内（Ａエリア５０、Ｂエリア５１）であり、且つ、発信端末機器２００が送信範囲情報で指定した送信範囲であるＡエリア５０に受信端末機器３００を所持する情報受信ユーザ３０が存在している場合、ユーザ情報バッファ１３０に一時記憶されているユーザ情報をユーザ情報発信ＩＦ１１３を介して情報受信ユーザ３０の受信端末機器３００に送信する。
【００２２】
エリア５０内の情報受信ユーザ３０の受信端末機器３００は、このユーザ情報を自動的に受信して、ユーザ情報受信ＩＦ３２２を介してユーザ情報受信部３３１に送り、更にユーザ情報受信部３３１で処理されたユーザ情報がユーザ情報出力部３３２から出力／表示される。尚、受信端末機器３００は、サーバ１００に対して位置情報、ユーザプロファイルを自動的に送信せずに、定期的又は指定した時間に送信することによりユーザ情報を自動受信するようにしておいてもよい。又、発信端末機器２００及び受信端末機器３００は、端末機器自体が発信する電波を利用した位置情報を用いて現在所在している位置を認識するようにしてもよい。
【００２３】
次に、第２の実施の形態の位置情報を利用した情報配信装置は、サーバが受信端末機器からのユーザ情報の送信要求により、送信要求のあった受信端末機器にユーザ情報を送信する場合について説明する。
【００２４】
まず、第２の実施の形態として図３に示す位置情報を利用した情報配信装置は、情報受信ユーザの送信要求により、情報発信ユーザが指定する範囲にユーザ情報を発信することができるサーバ１００Ａと、現在の位置情報をサーバ１００Ａに送ると共に所望のユーザ情報を入力し、このユーザ情報を発信する範囲を指定することができる発信端末機器２００Ａと、サーバ１００Ａに現在の位置情報及びユーザ情報の送信要求を送ってユーザ情報を受信することができる受信端末機器３００Ａとから構成される。
【００２５】
サーバ１００Ａは、発信端末機器２００Ａ及び受信端末機器３００Ａとの通信を行い、位置情報やユーザ情報の送受信を行う位置情報ＩＦ１１１Ａとユーザ情報受信ＩＦ１１２Ａとユーザ情報発信ＩＦ１１３Ａからなる通信ＩＦ１１０Ａと、発信端末機器２００Ａから受信したユーザ情報及び送信範囲情報や、発信端末機器２００Ａ及び受信端末機器３００Ａからの位置情報やユーザプロファイルを記憶して管理するユーザ位置情報管理データベース１２０Ａと、発信端末機器２００Ａから送られてくるユーザ情報を一時記録し、コントローラ１６０Ａの指示によりユーザ情報発信ＩＦ１１３Ａへ送るユーザ情報バッファ１３０Ａと、発信端末機器２００Ａ及び受信端末機器３００Ａからのユーザプロファイルにより認証を行うユーザ認証部１４０Ａと、ユーザプロファイルと発信端末機器２００Ａの送信範囲情報により課金情報を生成するユーザ別課金部１５０Ａと、位置情報やユーザプロファイルや送信範囲情報等に基づいてサーバ１００Ａ内の各部を制御するコントローラ１６０Ａと、受信端末機器３００Ａからユーザ情報の送信要求に従い、ユーザ情報の送信指示を行うユーザ情報送信指定部１７０Ａとから構成される。
【００２６】
発信端末機器２００Ａは、ＧＰＳ等からの位置関連情報１０Ａを受信する位置情報受信部２１１Ａと、受信した位置関連情報１０Ａから所在位置等を判断する位置情報認識部２１２Ａと、位置情報認識部２１２Ａで認識した所在位置及びユーザの名前等の認証情報であるユーザプロファイルをサーバ１００Ａへ送信する為の処理を行う位置情報発信部２１３Ａとからなる位置情報処理部２１０Ａと、サーバ１００Ａとの通信を行い、位置情報処理部２１０Ａやユーザ情報処理部２３０Ａからの位置情報やユーザ情報をサーバ１００Ａへ送る位置情報ＩＦ２２１Ａ及びユーザ情報発信ＩＦ２２２Ａを備えた通信ＩＦ部２２０Ａと、所望のユーザ情報やこのユーザ情報の送信範囲情報を入力する為のユーザ情報入力部２３１Ａと、入力したユーザ情報及び送信範囲情報をサーバ１００Ａへ送信する為の処理を行うユーザ情報発信部２３２Ａからなるユーザ情報処理部２３０Ａとから構成される。
【００２７】
受信端末機器３００Ａは、ＧＰＳ等からの位置関連情報１０Ａを受信する位置情報受信部３１１Ａと、受信した位置関連情報１０Ａから所在位置等を判断する位置情報認識部３１２Ａと、位置情報認識部３１２Ａで認識した所在位置とユーザの名前等の認証情報であるユーザプロファイルをサーバ１００Ａへ送信する為の処理を行う位置情報発信部３１３Ａとからなる位置情報処理部３１０Ａと、サーバ１００Ａとの通信を行い、位置情報処理部３１０Ａからの位置情報を送る位置情報ＩＦ３２１Ａや受信したユーザ情報をユーザ情報処理部３３０Ａへ送るユーザ情報受信ＩＦ３２２Ａを備えた通信ＩＦ部３２０Ａと、受信したユーザ情報を処理するユーザ情報受信部３３１Ａと、ユーザ情報受信部３３１Ａで処理されたユーザ情報を出力／表示するユーザ情報出力部３３２Ａと、サーバ１００Ａに対してユーザ情報の送信要求を行うユーザ情報受信指定部３３３Ａからなるユーザ情報処理部３３０Ａとから構成される。
【００２８】
このようなサーバ１００Ａ、発信端末機器２００Ａ、受信端末機器３００Ａからなる位置情報を利用した情報配信装置において、ユーザ情報を送受信するときの動作について説明する。
【００２９】
まず、第１の実施の形態の時と同様に、情報を発信したい情報発信ユーザ２０Ａは、所持する発信端末機器２００Ａにより、ユーザ情報入力部２３１Ａからユーザ情報と送信範囲情報（Ａエリア５０’）を入力する。入力されたユーザ情報と送信範囲情報は、通信ＩＦ部２１０Ａのユーザ情報発信ＩＦ２２２Ａを介してサーバ１００Ａへ送信される。
【００３０】
一方、発信端末機器２００Ａは、位置情報受信部２１１Ａで受信されたＧＰＳ等からの位置関連情報１０Ａを位置情報認識部２１２Ａに送り、位置情報認識部２１２Ａにより位置関連情報１０Ａから現在発信端末機器２００Ａが所在している位置情報を判断し、この位置情報とユーザプロファイルを位置情報発信部２１３Ａで処理して通信ＩＦ部２２０Ａの位置情報ＩＦ２２１Ａを介してサーバ１００Ａへ送信する。尚、第１の実施の形態と同様、送信するユーザ情報は、テキスト（文字）、画像、音、プログラム等のバイナリデータやその他送信可能なデジタルデータであればこれらに限らないことは勿論である。又、指定する送信範囲は、図４の示すように情報発信ユーザ２０Ａ（発信端末機器２００Ａ）を中心にした範囲を指定することや、別の地域の所定の範囲を指定することも可能である。
【００３１】
サーバ１００Ａは、発信端末機器２００Ａからの位置情報及びユーザプロファイルとユーザ情報及び送信範囲情報を受信する。位置情報及びユーザプロファイルは、位置情報ＩＦ１１１Ａを介してコントローラ１６０Ａへ送られ、ユーザ位置情報管理データベース１２０Ａに記憶、管理される。ユーザ情報と送信範囲情報は、ユーザ情報受信ＩＦ１１２Ａを介してコントローラ１６０Ａに送られ、ユーザ情報バッファ１３０Ａに一時記憶される。ユーザ認証部１４０Ａでは、発信端末機器２００Ａからのユーザプロファイルに基づいてユーザの認証を行い、認証が正常と判断されると、ユーザ情報バッファ１３０に一時記憶されたユーザ情報は、送信範囲情報に基づいた送信範囲（Ａエリア５０'）にいる情報受信ユーザ３０Ａ（複数でもよい）にブロードキャスト可能な状態となる。又、これに伴い、ユーザ別課金部１５０Ａでは、送信範囲情報とユーザプロファイルに基づいてユーザ別の課金情報を生成して後日情報発信ユーザ２０Ａに請求する。情報の送信範囲が広範囲である程高い料金で課金することは第１の実施の形態と同様である。
【００３２】
そして、受信端末機器３００Ａを所持する情報受信ユーザ３０Ａがサーバ１００Ａからユーザ情報を受信したい場合、ＧＰＳなどから位置情報受信部３１１Ａで受信された位置関連情報１０Ａを位置情報認識部３１２Ａに送り、位置情報認識部３１２Ａで受信端末機器３００Ａが所在している位置情報を判断し、この位置情報をユーザプロファイルと共に位置情報発信部３１３Ａで処理し、位置情報ＩＦ３２１Ａを介してサーバ１００Ａに送信する。一方、サーバ１００Ａに対してユーザ情報の送信の要求するために、ユーザ情報受信指定部３３３Ａにより送信要求を行い、このユーザ情報の送信要求を通信ＩＦ部３２０Ａを介してサーバ１００Ａに送信する。
【００３３】
サーバ１００Ａは、受信端末機器３００Ａからの位置情報とユーザプロファル及びユーザ情報の送信要求を受信すると、通信ＩＦ部１１０Ａを介してコントローラ１６０Ａへ送り、位置情報とユーザプロファルは位置情報ＩＦ１１１Ａを介してユーザ位置情報管理データベース１２０Ａに記憶、管理を行う。一方、ユーザ情報の送信要求は、コントローラ１６０Ａを介してユーザ情報送信指定部１７０Ａに送られる。ユーザ情報送信指定部１７０Ａは、送信要求に従い、ユーザ情報バッファ１３０Ａに一時記憶されているユーザ情報を送信するようにコントローラ１６０Ａを介して指示する。そして、受信端末機器３００Ａの位置情報に基づき、情報受信ユーザ３０Ａ（受信端末機器３００Ａ）の所在位置を確認すると共に、サーバ１００Ａのエリア内（Ａエリア５０’又はＢエリア５１’）にブロードキャストの指定されているユーザ情報を抽出し、ユーザ情報発信ＩＦ１１３Ａを介して送信要求のあった受信端末機器３００Ａに該当するユーザ情報を送信する。
【００３４】
受信端末機器３００Ａは、サーバ１００Ａからのユーザ情報を受信すると、ユーザ情報受信ＩＦ３２２Ａを介してユーザ情報受信部３３１Ａに送り、ユーザ情報受信部３３１Ａで処理してユーザ情報出力部３３２Ａから出力／表示する。尚、受信端末機器３００Ａにおけるユーザ情報の送信要求は、情報受信ユーザがユーザ情報を受信する際に行ってもよいし、定期的又は指定した時間に行うようにしてもよい。又、第１の実施の形態と同様に、発信端末機器２００及び受信端末機器３００は、端末機器自体が発信する電波を利用した位置情報を用いて現在所在している位置を認識するようにしてもよい。
【発明の効果】
以上説明したように、衛星の電波や携帯端末自体が発信する電波を利用して発信端末機器及び受信端末機器の位置情報が認識されているので、情報発信ユーザが発信したい情報を入力し、ブロードキャストする範囲を指定することにより、指定した所望の範囲に存在する複数の受信端末機器を持つユーザに情報を送信（ブロードキャスト）することができる。情報をブロードキャストできる範囲は、サーバが情報を送受信する端末機器を認識できるエリアとなるが、衛星等を使うことによりこれ以外のエリアでもブロードキャストが可能となる。例えば、インターネット等を利用して複数の遠隔地の所定のエリアを指定し、そのエリアのサーバに所望の情報を送ることで、情報発信ユーザが現在いる場所以外の複数のエリアに対するブロードキャストが可能となる。又、複数の端末機器に情報をブロードキャストすることができるので、緊急時に特定のエリア内の多くの人に情報を伝えることが可能である。
【００３５】
一方、料金は、情報をブロードキャストする範囲の大きさに従って課金されるので、エリア内の多数の人に情報を送信する場合は割安となる。又、情報を受信するユーザは、情報発信者の指定するエリアに入ると自動的、若しくは送信要求して情報を受信することができるので近くで行われているイベント情報やその他の情報を随時知ることができるという利点がある。
【図面の簡単な説明】
【図１】本発明に係る位置情報を利用した情報配信装置の第１の実施の形態の構成を示したブロック図である。
【図２】本発明に係る位置情報を利用した情報配信装置の第１の実施の形態において情報をブロードキャストする場合を略示的に示した説明図である。
【図３】本発明に係る位置情報を利用した情報配信装置の第２の実施の形態の構成を示したブロック図である。
【図４】本発明に係る位置情報を利用した情報配信装置の第２の実施の形態において情報をブロードキャストする場合を略示的に示した説明図である。
【符号の説明】
１０；位置関連情報、２０；情報発信ユーザ、３０；情報受信ユーザ、４０；情報受信ユーザ、５０；Ａエリア、５１；Ｂエリア、１００；サーバ、１１０；通信ＩＦ部、１１１；位置情報ＩＦ、１１２；ユーザ情報受信ＩＦ、１１３；ユーザ情報発信ＩＦ、１２０；ユーザ位置情報管理データベース、１３０；ユーザ情報バッファ、１４０；ユーザ認証部、１５０；ユーザ別課金部、１６０；コントローラ、２００；発信端末機器、２１０；位置情報処理部、２１１；位置情報受信部、２１２；位置情報認識部、２１３；位置情報発信部、２２０；通信ＩＦ部、２２１；位置情報ＩＦ、２２２；ユーザ情報発信ＩＦ、２３０；ユーザ情報処理部、２３１；ユーザ情報入力部、２３２；ユーザ情報発信部、３００；受信端末機器、３１０；位置情報処理部、３１１；位置情報受信部、３１２；位置情報認識部、３１３；位置情報発信部、３２０；通信ＩＦ部、３２１；位置情報ＩＦ、３２２；ユーザ情報受信ＩＦ、３３０；ユーザ情報処理部、３３１；ユーザ情報受信部、３３２；ユーザ情報出力部、２０Ａ；情報発信ユーザ、３０Ａ；情報受信ユーザ、４０Ａ；情報受信ユーザ、５０’；Ａエリア、５１’；Ｂエリア、１００Ａ；サーバ、１１０Ａ；通信ＩＦ部、１１１Ａ；位置情報ＩＦ、１１２Ａ；ユーザ情報受信ＩＦ、１１３Ａ；ユーザ情報発信ＩＦ、１２０Ａ；ユーザ位置情報管理データベース、１３０Ａ；ユーザ情報バッファ、１４０Ａ；ユーザ認証部、１５０Ａ；ユーザ別課金部、１６０Ａ；コントローラ、１７０Ａ；ユーザ情報送信指定部、２００Ａ；発信端末機器、２１０Ａ；位置情報処理部、２１１Ａ；位置情報受信部、２１２Ａ；位置情報認識部、２１３Ａ；位置情報発信部、２２０Ａ；通信ＩＦ部、２２１Ａ；位置情報ＩＦ、２２２Ａ；ユーザ情報発信ＩＦ、２３０Ａ；ユーザ情報処理部、２３１Ａ；ユーザ情報入力部、２３２Ａ；ユーザ情報発信部、３００Ａ；受信端末機器、３１０Ａ；位置情報処理部、３１１Ａ；位置情報受信部、３１２Ａ；位置情報認識部、３１３Ａ；位置情報発信部、３２０Ａ；通信ＩＦ部、３２１Ａ；位置情報ＩＦ、３２２Ａ；ユーザ情報受信ＩＦ、３３０Ａ；ユーザ情報処理部、３３１Ａ；ユーザ情報受信部、３３２Ａ；ユーザ情報出力部、３３３Ａ；ユーザ情報受信指定部
【図１】
0004419307.tif 000002
【図２】
0004419307.tif 000003
【図３】
0004419307.tif 000004
【図４】
0004419307.tif 000005